(57)【要約】【課題】表示劣化を抑制させつつ、黒輝度の低減を図ることができるプラズマディスプレイパネルの駆動装置を提供することを目的とする。【解決手段】入力映像信号に基づく画像が所定輝度（黒輝度）以下の輝度である場合にのみ、リセット緩和条件（外光照度、現在時刻等）に応じてリセット頻度を下げる。【選択図】図１
2007225778.tif 000002
【特許請求の範囲】
【請求項１】
表示画素を担う複数の放電セルがマトリクス状に配列されたプラズマディスプレイパネルを映像信号に応じて駆動するプラズマディスプレイパネルの駆動装置であって、
前記放電セルの全てにリセットパルスを印加することにより前記放電セル各々内の壁電荷の量を初期化するリセット放電を生起させるリセット手段と、
前記映像信号の輝度レベルを検出する輝度レベル検出手段と、
リセット緩和条件を示す条件信号を生成する条件信号生成手段と、
前記輝度レベル及び前記条件信号に応じて前記リセットパルスを印加する頻度を下げる制御手段と、を有することを特徴とするプラズマディスプレイパネルの駆動装置。
【請求項２】
前記制御手段は、前記輝度レベルが所定輝度以下の場合においてのみ、前記条件信号に応じて前記リセットパルスの印加頻度を下げることを特徴とする請求項１記載のプラズマディスプレイパネルの駆動装置。
【請求項３】
前記制御手段は、前記輝度レベルに基づく１フレーム分又は１フィールド分の画像の平均輝度が所定輝度以下の場合においてのみ、前記条件信号に応じて前記リセットパルスの印加頻度を下げることを特徴とする請求項１記載のプラズマディスプレイパネルの駆動装置。
【請求項４】
前記条件信号生成手段は、前記プラズマディスプレイパネルの周辺の外光照度を検出する外光センサと、前記外光照度を示す前記条件信号を生成する手段と、からなり、
前記制御手段は、前記条件信号によって示される前記外光照度が所定照度よりも低い場合には高い場合に比して前記リセットパルスの印加頻度を下げることを特徴とする請求項２又は３のいずれか１に記載のプラズマディスプレイパネルの駆動装置。
【請求項５】
前記制御手段は、前記外光照度が前記所定照度よりも低い場合には高い場合に比して前記リセットパルスの電圧値を小さくすることを特徴とする請求項４に記載のプラズマディスプレイパネルの駆動装置。
【請求項６】
前記制御手段は、前記外光照度が前記所定照度よりも低い場合には高い場合に比して前記リセットパルスのパルス幅を小さくすることを特徴とする請求項４又は５いずれか１に記載のプラズマディスプレイパネルの駆動装置。
【請求項７】
前記条件信号生成手段は、現在時刻を計時する時刻タイマと、前記現在時刻を示す前記条件信号を生成する手段と、からなり、
前記制御手段は、前記条件信号によって示される前記現在時刻が所定時刻以降の時刻である場合には前記所定時刻以前の時刻である場合に比して前記リセットパルスの印加頻度を小にすることを特徴とする請求項２又は３のいずれか１に記載のプラズマディスプレイパネルの駆動装置。
【請求項８】
前記制御手段は、前記現在時刻が前記所定時刻以降の時刻である場合には前記所定時刻以前の時刻である場合に比して前記リセットパルスの電圧値を小さくすることを特徴とする請求項７に記載のプラズマディスプレイパネルの駆動装置。
【請求項９】
前記制御手段は、前記現在時刻が前記所定時刻以降の時刻である場合には前記所定時刻以前の時刻である場合に比して前記リセットパルスのパルス幅を小さくすることを特徴とする請求項７又は８いずれか１に記載のプラズマディスプレイパネルの駆動装置。
【請求項１０】
表示画素を担う複数の放電セルがマトリクス状に配列されたプラズマディスプレイパネルを映像信号に応じて駆動するプラズマディスプレイパネルの駆動装置であって、
前記放電セルの全てにリセットパルスを印加することにより前記放電セル各々内の壁電荷の量を初期化するリセット放電を生起させるリセット手段と、
前記映像信号の輝度レベルを検出する輝度レベル検出手段と、
前記プラズマディスプレイパネルの周辺の外光照度を検出する外光センサと、
前記輝度レベル及び前記外光照度に応じて前記リセットパルスを印加する頻度を変更する制御手段と、を有することを特徴とするプラズマディスプレイパネルの駆動装置。
【請求項１１】
前記制御手段は、前記輝度レベルが所定輝度以下の場合においてのみ、前記外光照度に応じて前記リセットパルスを印加する頻度を変更することを特徴とする請求項１０記載のプラズマディスプレイパネルの駆動装置。
【請求項１２】
前記制御手段は、前記輝度レベルに基づく１フレーム分又は１フィールド分の画像の平均輝度が所定輝度以下の場合においてのみ、前記外光照度に応じて前記リセットパルスを印加する頻度を変更することを特徴とする請求項１０記載のプラズマディスプレイパネルの駆動装置。
【請求項１３】
前記制御手段は、前記外光照度が所定照度よりも低い場合には高い場合に比して前記リセットパルスを印加する頻度を小にすることを特徴とする請求項１１又は１２いずれか１に記載のプラズマディスプレイパネルの駆動装置。
【請求項１４】
前記制御手段は、前記外光照度が前記所定照度よりも高い場合には１フレーム又は１フィールド分の表示期間毎に１回だけ前記リセットパルスを前記放電セル各々に印加させる一方、前記外光照度が前記所定照度よりも低い場合には複数フレーム又は複数フィールド分の表示期間毎に１回だけ前記リセットパルスを前記放電セル各々に印加させることを特徴とする請求項１３記載のプラズマディスプレイパネルの駆動装置。
【請求項１５】
前記制御手段は、前記外光照度が前記所定照度よりも低い場合には高い場合に比して前記リセットパルスの電圧値を小さくすることを特徴とする請求項１１又は１２いずれか１に記載のプラズマディスプレイパネルの駆動装置。
【請求項１６】
前記制御手段は、前記外光照度が前記所定照度よりも低い場合には高い場合に比して前記リセットパルスのパルス幅を小さくすることを特徴とする請求項１１、１２又は１５のいずれか１に記載のプラズマディスプレイパネルの駆動装置。
【発明の詳細な説明】
【技術分野】
【０００１】
本発明は、プラズマディスプレイパネルを表示発光させるべき各種駆動パルスを生成してこれをプラズマディスプレイパネルに印加する駆動装置に関する。
【背景技術】
【０００２】
プラズマディスプレイパネルは、複数の列電極と、これら列電極と直交して配列されて且つ一対にて１走査ラインを形成する複数の行電極とを備えている。これら行電極及び列電極は、放電空間に対して誘電体層で被覆されており、１対の行電極と列電極との交叉部に画素を担う放電セルが形成される構造を採る。
【０００３】
ここで、かかるプラズマディスプレイパネルに対して中間輝度表示を実施させる方法の一つとしてサブフィールド法が知られている。サブフィールド法では、１フィールドの表示期間を、Ｎビットの画素データの各ビット桁の重み付けに対応した時間だけ発光するＮ個のサブフィールドに分割して表示する。
【０００４】
サブフィールド法を用いる場合、例えば供給される画素データが６ビットで構成されると想定すると、１フィールドの期間をＳＦ１、ＳＦ２...、ＳＦ６なる６個のサブフィールドに分割して各サブフィールド毎に発光駆動を行う。
【０００５】
各サブフィールドは、一斉リセット行程、画素データ書込行程、発光維持行程にて構成される。一斉リセット行程では、全放電セルを一斉に放電励起（リセット放電）せしめることにより、全放電セルの壁電荷を一様に消去する。次の画素データ書込行程では、各放電セル毎に、画素データに応じた選択的な書込み放電を生起せしめる。この時、書込み放電が生起された放電セル内には壁電荷が形成され、この放電セルは「発光セル」に設定される。一方、書込み放電が生起されなかった放電セルには壁電荷が形成されないので「非発光セル」となる。発光維持行程では、「発光セル」に設定された放電セルのみを、各サブフィールドの重み付けに対応した期間に亘り繰り返し放電せしめる。この際、サブフィールドＳＦ１〜ＳＦ６各々の発光維持行程において実施された放電期間の合計に対応した輝度が視覚される。つまり、サブフィールドＳＦ１〜ＳＦ６各々に、１：２：４：８：１６：３２なる放電の期間を割り当てれば、６４階調分の中間輝度を表現することが可能となるのである。
【０００６】
ところが、かかる一斉リセット行程にて全放電セルに対して実施されるリセット放電は、比較的強い放電、すなわち輝度レベルの高い発光を伴うものである。この際、リセット放電により、画素データには何等関与しない発光が生じるので、特に、暗い室内で暗めの画像を観賞する際には暗コントラストの低下を招くという問題があった。
【０００７】
そこで、プラズマディスプレイパネルの画面周辺が暗い場合には、１フィールド表示期間内において実行すべき一斉リセット行程の回数を減らすことにより、リセット放電に伴う発光を弱めて、暗コントラストの向上を図るようにした駆動方法が提案された（例えば、特許文献１の図９参照)。
【０００８】
ところが、かかる駆動方法によると、一斉リセット行程の回数を減らした分だけ誤放電の発生確率が高くなり、表示劣化が目立つようになるという問題があった。
【特許文献１】特開２００３−１６７５４９号公報
【発明の開示】
【発明が解決しようとする課題】
【０００９】
本発明は、かかる問題を解決すべく為されたものであり、表示劣化を抑制させつつ、黒輝度の低減を図ることができるプラズマディスプレイパネルの駆動装置を提供することを目的とするものである。
【課題を解決するための手段】
【００１０】
請求項１記載によるプラズマディスプレイパネルの駆動装置は、表示画素を担う複数の放電セルがマトリクス状に配列されたプラズマディスプレイパネルを映像信号に応じて駆動するプラズマディスプレイパネルの駆動装置であって、前記放電セルの全てにリセットパルスを印加することにより前記放電セル各々内の壁電荷の量を初期化するリセット放電を生起させるリセット手段と、前記映像信号の輝度レベルを検出する輝度レベル検出手段と、リセット緩和条件を示す条件信号を生成する条件信号生成手段と、前記輝度レベル及び前記条件信号に応じて前記リセットパルスを印加する頻度を下げる制御手段と、を有する。
【００１１】
又、請求項１０記載によるプラズマディスプレイパネルの駆動装置は、表示画素を担う複数の放電セルがマトリクス状に配列されたプラズマディスプレイパネルを映像信号に応じて駆動するプラズマディスプレイパネルの駆動装置であって、前記放電セルの全てにリセットパルスを印加することにより前記放電セル各々内の壁電荷の量を初期化するリセット放電を生起させるリセット手段と、前記映像信号の輝度レベルを検出する輝度レベル検出手段と、前記プラズマディスプレイパネルの周辺の外光照度を検出する外光センサと、前記輝度レベル及び前記外光照度に応じて前記リセットパルスを印加する頻度を変更する制御手段と、を有する。
【発明を実施するための最良の形態】
【００１２】
本発明においては、入力映像信号に基づく画像が所定輝度以下の暗い画像である場合にのみ、リセット緩和条件（外光照度、時刻等）に応じてリセット頻度を変更する。この際、プラズマディスプレイパネル周辺の外光照度が所定照度以下である場合（又は現在時刻が所定時刻以降の時刻を示す場合）には、外光照度が所定照度より高い場合（又は現在時刻が所定時刻以前の時刻を示す場合）に比してリセット頻度を下げる。これにより、入力映像信号に基づく画像が全体的に暗い、いわゆる表示品質の劣化が目立たない画像を表示する場合にのみ、リセット放電を生起させるべき頻度を少なくしてリセット放電に伴う発光を弱めるようにしたので、表示品質を劣化させることなく黒輝度の低減を図ることが可能となる。
【実施例】
【００１３】
以下、本発明の実施例を図面を参照しつつ詳細に説明する。
【００１４】
図１は、プラズマディスプレイ装置の概略構成を示す図である。
【００１５】
図１において、プラズマディスプレイパネルとしてのＰＤＰ１０には、２次元表示画面の縦方向（垂直方向）に夫々伸長している列電極Ａ１〜Ａｍと、横方向（水平方向）に夫々伸長しており且つＸ及びＹ交互に配置されている行電極Ｘ１〜Ｘｎ及び行電極Ｙ１〜Ｙｎが形成されている。互いに隣接する一対の行電極Ｘ及びＹにて、ＰＤＰ１０の１表示ライン分の表示を行う。すなわち、ＰＤＰ１０は、行電極Ｘ１及びＹ１からなる第１表示ライン、行電極Ｘ2及びＹ2からなる第２表示ライン、・・・、行電極Ｘn及びＹnからなる第ｎ表示ラインを備えるのである。これら第１〜第ｎ表示ラインと、列電極Ａ１〜Ａｍとの間には放電ガスが封入された放電空間が設けられており、この放電空間を含む行電極と列電極との各交叉部に画素に対応した放電セルが形成される構造となっている。
【００１６】
Ａ／Ｄ変換器１は、入力映像信号をサンプリングしてこれを各画素に対応した例えば８ビットの画素データＰＤに変換して、これを画素駆動データ生成回路３及び輝度レベル検出回路２０の各々に供給する。
【００１７】
輝度レベル検出回路２０は、入力映像信号に対応した画素データＰＤに基づき、１フレーム分の画像の平均輝度レベルを算出し、その平均値を示す平均輝度信号ＡＹをリセット頻度変更信号生成回路２１に供給する。
【００１８】
条件信号生成回路２２は、ＰＤＰ１０の全放電セルを初期化させるリセット放電を緩和させる条件を示す条件信号ＣＳを生成し、これをリセット頻度変更信号生成回路２１に供給する。例えば、リセット放電を緩和させる条件としてはＰＤＰ１０周辺の外光照度があり、この際、条件信号生成回路２２は、ＰＤＰ１０の画面周辺に設けられた外光センサ２２０及び照度取出回路２２１にて構築される。外光センサ２２０は、ＰＤＰ１０周辺の外光照度を検出し、その照度を示す外光照度信号ＬＬを照度取出回路２２１に供給する。照度取出回路２２１は、所定期間おきに上記外光照度信号ＬＬを取り込みこれを、条件信号ＣＳとしてリセット頻度変更信号生成回路２１に供給する。
【００１９】
リセット頻度変更信号生成回路２１は、図２に示す如きリセット頻度変更制御フローに従った制御を所定期間おきに断続的に繰り返し実行することにより、リセット頻度変更信号ＲＣを生成、これを駆動制御回路４に供給する。
【００２０】
図２において、先ず、リセット頻度変更信号生成回路２１は、輝度レベル検出回路２０から供給された平均輝度信号ＡＹにて示される平均輝度、つまり入力映像信号による１フレーム画像の平均輝度が所定輝度ＹREF以下であるか否かを判定する（ステップＳ１）。尚、所定輝度ＹREFは、例えば黒表示に対応した輝度である。かかるステップＳ１において平均輝度信号ＡＹが所定輝度ＹREF以下であると判定された場合、リセット頻度変更信号生成回路２１は、次に、条件信号ＣＳにて示される外光照度信号ＬＬが所定照度ＬREF以下の照度であるか否かを判定する（ステップＳ２）。かかるステップＳ２において外光照度信号ＬＬが所定照度ＬREF以下ではないと判定された場合、又は、上記ステップＳ１において平均輝度信号ＡＹが所定輝度ＹREF以下ではないと判定された場合には、リセット頻度変更信号生成回路２１は、リセット頻度大を示すリセット頻度変更信号ＲＣを生成し、これを駆動制御回路４に供給する（ステップＳ３）。一方、上記ステップＳ２において条件信号ＣＳにて示される外光照度信号ＬＬが所定照度ＬREF以下の輝度であると判定された場合、リセット頻度変更信号生成回路２１は、リセット頻度小を示すリセット頻度変更信号ＲＣを生成し、これを駆動制御回路４に供給する（ステップＳ４）。
【００２１】
すなわち、リセット頻度変更信号生成回路２１は、入力映像信号の平均輝度が所定輝度（ＹREF）以下となる場合（例えば黒輝度）にのみ、ＰＤＰ１０の外光照度（ＬＬ）をリセット緩和条件とする条件信号ＣＳに従ってリセット頻度を変更させるべきリセット頻度変更信号ＲＣを駆動制御回路４に供給するのである。
【００２２】
画素駆動データ生成回路３は、上記画素データＰＤに基づき、各サブフィールドの画素データ書込行程（後述する）において、放電セル各々を点灯モード及び消灯モードの内のいずれに設定するのかを示す画素駆動データＧＤを生成する。
【００２３】
駆動制御回路４は、図３（ａ）又は図３（ｂ）に示す如きサブフィールド法に基づく発光駆動シーケンスに従って、１フレーム（１フィールド）表示期間毎にＮ個のサブフィールドＳＦ１〜ＳＦ(Ｎ)各々で、画素データ書込行程Ｗc及び発光維持行程Ｉcを順次実行する。尚、図３（ａ）に示す発光駆動シーケンスにおいては、駆動制御回路４は、先頭のサブフィールドＳＦ１に限り、画素データ書込行程Ｗcに先立ち、リセット行程Ｒcを実行する。
【００２４】
この際、上記リセット行程Ｒcの実行により、駆動制御回路４は、ＰＤＰ１０の全放電セルに対して、放電セル内に残存する壁電荷の量を初期化させるべき各種制御信号を発生して、Ｘ電極ドライバ７及びＹ電極ドライバ８に供給する。又、画素データ書込行程Ｗcの実行により、駆動制御回路４は、ＰＤＰ１０の各放電セルを上記画素駆動データＧＤに応じた状態（点灯モード、消灯モード）に設定させるべき各種制御信号を発生して、アドレスドライバ６及びＹ電極ドライバ８に供給する。又、上記発光維持行程Ｉcの実行により、駆動制御回路４は、上記点灯モードに設定されている放電セルのみを、そのサブフィールドに対応した回数分だけ繰り返し放電させるべき各種制御信号を発生して、Ｘ電極ドライバ７及びＹ電極ドライバ８に供給する。
【００２５】
アドレスドライバ６、Ｘ行電極ドライバ７及びＹ行電極ドライバ８各々は、上記駆動制御回路４から供給された各種制御信号に応じて各種駆動パルスを発生し、ＰＤＰ１０の列電極Ａ、行電極Ｘ及びＹに印加する。
【００２６】
図４は、上記リセット行程Ｒc、画素データ書込行程Ｗc及び発光維持行程Ｉc各々においてアドレスドライバ６、Ｘ行電極ドライバ７及びＹ行電極ドライバ８各々がＰＤＰ１０に印加する各種駆動パルスを示す図である。尚、図４では、サブフィールドＳＦ１〜ＳＦ（Ｎ）の内から、先頭のサブフィールドＳＦ１及びＳＦ２のみを抜粋して、これらＳＦ１及びＳＦ２にてＰＤＰ１０に印加される各種駆動パルスを示している。
【００２７】
図４において、リセット行程Ｒcでは、Ｘ行電極ドライバ７が、立ち下がり波形が緩やかな負極性のリセットパルスＲＰXを発生して、ＰＤＰ１０の全ての行電極Ｘ1〜Ｘnに一斉に印加する。又、かかるリセット行程Ｒcでは、Ｙ行電極ドライバ８が、立ち上がり波形が緩やかな正極性のリセットパルスＲＰYを発生して、これを上記リセットパルスＲＰXと同一タイミングにてＰＤＰ１０の全ての行電極Ｙ1〜Ｙnに一斉に印加する。これらリセットパルスＲＰｘ及びＲＰＹの印加に応じて、ＰＤＰ１０の全放電セルがリセット放電し、その放電終息後、各放電セル内には一様に所定量の壁電荷が形成される。かかるリセット放電により、ＰＤＰ１０の全放電セルが、点灯モード及び消灯モード（後述する）の内のいずれか一方の状態に初期化される。
【００２８】
次に、画素データ書込行程Ｗcでは、アドレスドライバ６が、上記画素駆動データＧＤに応じたパルス電圧を有する画素データパルスを生成する。例えば、アドレスドライバ６は、画素駆動データＧＤが論理レベル１である場合には高電圧、０である場合には低電圧(０ボルト)の画素データパルスを生成する。そして、アドレスドライバ６は、上記画素データパルスを１表示ライン分(ｍ個)毎にグループ化した画素データパルス群ＤＰ１、ＤＰ２、・・・、ＤＰｎを図３に示す如く順次、列電極Ａ１〜Ａｍに印加する。更に、かかる画素データ書込行程Ｗcでは、Ｙ行電極ドライバ８が、上記画素データパルス群ＤＰ１〜ＤＰｎ各々の印加タイミングと同一タイミングにて負極性の走査パルスＳＰを発生し、これを行電極Ｙ１〜Ｙｎへと順次印加して行く。この際、上記走査パルスＳＰが印加された行電極Ｙと、高電圧の画素データパルスが印加された列電極Ａとの交叉部に形成されている放電セルにのみ放電(選択放電)が生じる。かかる選択放電により、放電セル内の壁電荷の量が増加（又は減少）する。一方、走査パルスＳＰが印加されながらも低電圧の画素データパルスが印加された放電セルには上記選択放電は生起されず、この放電セル内では、上記リセット行程Ｒcにおいて初期化された壁電荷の量が維持される。画素データ書込行程Ｗcの実行により、所定量の壁電荷を有する放電セルは点灯モードに設定され、壁電荷が所定量に満たない放電セルは消灯モードに設定される。
【００２９】
次に、図４に示す発光維持行程Ｉcにおいては、Ｘ行電極ドライバ７及びＹ行電極ドライバ８各々が、正極性の維持パルスＩＰＸ及びＩＰＹを交互に繰り返し全ての行電極Ｘ及びＹに印加する。尚、各発光維持行程Ｉc内で印加すべき維持パルスＩＰの回数(又は期間)は、各サブフィールドの重み付けに応じて設定されている。つまり、上記点灯モードに設定されている放電セルのみが上記維持パルスＩＰＸ及びＩＰＹが印加される度に維持放電し、その維持放電に伴う発光状態をサブフィールドの重み付けに対応した期間に亘り維持するのである。この際、図３（ａ）又は図３（ｂ）に示す如き１フレーム（又は１フィールド）表示期間内の各サブフィールドにおいて放電セルが維持放電した回数（又は期間）の合計に応じた中間輝度が視覚される。
【００３０】
ここで、駆動制御回路４は、上記リセット頻度変更信号生成回路２１からリセット頻度変更信号ＲＣが供給された場合には、このリセット頻度変更信号ＲＣに従って、以下の如きリセット放電の実行頻度を変更させるべき制御を実施する。  すなわち、リセット頻度変更信号ＲＣがリセット頻度大を示す場合には、駆動制御回路４は、図３（ａ）に示す如き発光駆動シーケンスに従った駆動を繰り返し実施する。これにより、図５（ａ）に示すように、１フレーム（又は１フィールド）表示期間毎に１回、リセット行程Ｒcが実行される。一方、リセット頻度変更信号ＲＣがリセット頻度小を示す場合には、駆動制御回路４は、図３（ａ）に示す発光駆動シーケンスに従った駆動と、図３（ｂ）に示す発光駆動シーケンスに従った駆動とを交互に実行する。これにより、図５（ｂ）に示すように、２フレーム（又は２フィールド）表示期間毎に１回だけリセット行程Ｒcが実行される。
【００３１】
このように、図１に示されるプラズマディスプレイ装置では、ＰＤＰ１０の外光照度（ＬＬ）をリセット緩和条件とする条件信号ＣＳに応じてリセットパルスの印加頻度の変更を行うようにしたのである。この際、ＰＤＰ１０周辺の外光照度が所定照度より高い場合には、図５（ａ）に示す如き各フレーム（又はフィールド）表示期間毎にリセット行程Ｒcを１回実行する、いわゆるリセット頻度が大となる駆動を実行する。一方、ＰＤＰ１０周辺の外光照度が所定照度（黒輝度）以下である場合には、図５（ｂ）に示す如き２フレーム（又はフィールド）表示期間毎に１回だけリセット行程Ｒcを実行する、いわゆるリセット頻度が小となる駆動を実行する。図５（ｂ）に示す如きリセット頻度が小となる駆動によると、図５（ａ）に示す如きリセット頻度が大となる駆動を実施する場合に比して、単位時間あたりに生起されるリセット放電の回数が減るので、その分だけリセット放電に伴う発光が弱まり、黒輝度の低減を図ることが可能となる。ところが、リセット放電を生起させる頻度を少なくすると、その分だけ上記画素データ書込行程において誤放電が生じる確率が高くなり、表示劣化が目立つようになる。
【００３２】
そこで、図１に示されるプラズマディスプレイ装置では、入力映像信号に基づく画像が全体的に暗い画像（黒表示）、つまり表示品質の劣化が目立たない画像を表示する場合にのみ、ＰＤＰ１０周辺の外光照度に応じてリセットパルスの印加頻度を変更するるようにしたのである。
【００３３】
かかる駆動によれば、ＰＤＰ１０に表示される画像の表示品質を劣化させることなく、黒輝度の低減を図ることが可能となる。
【００３４】
尚、上記実施例においては、リセット緩和条件としてＰＤＰ１０周辺の外光照度を採用しているが、これに限定されない。
【００３５】
図６は、かかる点に鑑みて為された本発明の他の実施例によるプラズマディスプレイパネルの概略構成を示す図である。
【００３６】
尚、図６に示される実施例においては、条件信号生成回路２２の内部構成及びリセット頻度変更信号生成回路２１の動作を除く他の構成は図１に示されるものと同一である。よって、以下に、条件信号生成回路２２及びリセット頻度変更信号生成回路２１の動作のみ説明する。
【００３７】
図６において、条件信号生成回路２２の時刻タイマ２２２は、現在時刻を示す時刻信号を時刻情報取出回路２２３に供給する。時刻情報取出回路２２３は、所定期間おきに上記時刻信号を取り込みこれを、条件信号ＣＳとしてリセット頻度変更信号生成回路２１に供給する。リセット頻度変更信号生成回路２１は、先ず、上記条件信号ＣＳにて示される時刻信号が所定時刻（例えば午後５時）以降の時刻を示すか否かを判定する。そして、時刻信号が所定時刻以前の時刻を示す場合、つまり朝〜夕方間の明るい時間帯には、リセット頻度変更信号生成回路２１は、図５（ａ）に示す如きリセット頻度が比較的大となる駆動を実施させるべきリセット頻度変更信号ＲＣを生成し、これを駆動制御回路４に供給する。一方、時刻信号が所定時刻以降の時刻を示す場合、つまり夕方以降の夜間の暗い時間帯には、リセット頻度変更信号生成回路２１は、図５（ｂ）に示す如きリセット頻度が比較的小となる駆動を実施させるべきリセット頻度変更信号ＲＣを生成し、これを駆動制御回路４に供給するのである。
【００３８】
すなわち、図６に示される実施例においては、単位時間あたりに生起させるべきリセット放電の回数を低減させる際のリセット緩和条件として、現在時刻情報を採用したのである。
【００３９】
要するに、本発明においては、入力映像信号に基づく画像が全体的に暗い画像（黒表示）である場合にのみ、リセット緩和条件（例えば外光照度、又は現在時刻）に応じてリセット頻度を下げることにより、表示画像の品質を劣化させることなく、黒輝度の低減を図るものなのである。
【００４０】
尚、図５（ｂ）に示す如きリセット頻度小となる駆動では、リセット放電の回数を少なくすべく、２フレーム（又は２フィールド）に１回だけリセット行程Ｒcを実行するようにしているが、３フレーム以上の複数のフレーム毎に１回だけリセット行程Ｒcを実行するようにしても良い。
【００４１】
又、上記実施例においては、入力映像信号に基づく画像全体の輝度レベ及びＰＤＰ１０の画面周辺の照度（又は現在時刻）に応じて、単位時間あたりに実行すべきリセット放電の回数を変更するようにしているが、これと共にリセットパルスのピーク電圧を変更するようにしても良い。
【００４２】
例えば、駆動制御回路４は、外光照度が所定照度より高い場合（又は現在時刻が所定時刻以前の時刻である場合）には、各リセット行程Ｒcにおいて印加するリセットパルスＲＰYのピーク電圧を図７（ａ）又は図８（ａ）に示す如き電圧Ｖr1に設定させるべき制御信号をＹ電極ドライバ８に供給する。一方、外光照度が所定照度より低い場合（又は現在時刻が所定時刻以降の時刻である場合）には、駆動制御回路４は、各リセット行程Ｒcにおいて印加するリセットパルスＲＰYのピーク電圧を図７（ｂ）又は図８（ｂ）に示す如く、上記電圧Ｖr1よりも小なる電圧Ｖr2に設定させるべき制御信号をＹ電極ドライバ８に供給する。すなわち、この際、リセットパルスＲＰYのピーク電圧を低下させることにより、リセット放電に伴う発光輝度を低下させるのである。
【００４３】
更に、駆動制御回路４は、ＰＤＰ１０周辺の外光照度（又は現在時刻）に応じて、リセットパルスＲＰYのパルス幅を変更するようにしても良い。すなわち、外光照度が所定照度より高い場合（又は現在時刻が所定時刻以前の時刻である場合）には、図９（ａ）又は図１０（ａ）に示す如く、リセットパルスＲＰYのパルス幅をパルス幅Ｔr1に設定させるべき制御信号をＹ電極ドライバ８に供給する。一方、外光照度が所定照度より低い場合（又は現在時刻が所定時刻以降の時刻である場合）には、駆動制御回路４は、図９（ｂ）又は図１０（ｂ）に示す如く、リセットパルスＲＰYのパルス幅を上記パルス幅Ｔr1よりも小なるパルス幅Ｔr2に設定させるべき制御信号をＹ電極ドライバ８に供給する。
【００４４】
よって、かかる駆動によれば、入力映像信号に基づく１フレーム画像が所定輝度（黒輝度）以下であり、且つＰＤＰ１０周辺が所定照度以下である場合には、単位時間あたりのリセット放電の回数が少なくなると共に、リセット放電に伴う発光輝度が低下するので、黒輝度を更に低減させることが可能となる。
【図面の簡単な説明】
【００４５】
【図１】プラズマディスプレイ装置の概略構成を示す図である。
【図２】図１に示されるリセット頻度変更信号生成回路２１によって実施されるリセット頻度変更制御フローを示す図である。
【図３】図１のＰＤＰ１０を階調駆動する際に用いられる発光駆動シーケンスの一例を示す図である。
【図４】ＰＤＰ１０に印加される各種駆動パルスの一例を示す図である。
【図５】リセット頻度が大となる場合の駆動シーケンス、及びリセット頻度が小となる場合の駆動シーケンスの一例を示す図である。
【図６】プラズマディスプレイ装置の他の概略構成を示す図である。
【図７】リセット頻度小及びリセット頻度大各々でのリセットパルスＲＰYの波形の一例を示す図である。
【図８】リセット頻度小及びリセット頻度大各々でのリセットパルスＲＰYの波形の一例を示す図である。
【図９】リセット頻度小及びリセット頻度大各々でのリセットパルスＲＰYの波形の一例を示す図である。
【図１０】リセット頻度小及びリセット頻度大各々でのリセットパルスＲＰYの波形の一例を示す図である。
【符号の説明】
【００４６】
４      駆動制御回路
７      Ｘ行電極ドライバ
８      Ｙ行電極ドライバ
１０    ＰＤＰ
２０    輝度レベル検出回路
２１    リセット頻度変更信号生成回路
２２    条件信号生成回路
２２０  外光センサ
２２２  時刻タイマ
【図１】
2007225778.tif 000003
【図２】
2007225778.tif 000004
【図３】
2007225778.tif 000005
【図４】
2007225778.tif 000006
【図５】
2007225778.tif 000007
【図６】
2007225778.tif 000008
【図７】
2007225778.tif 000009
【図８】
2007225778.tif 000010
【図９】
2007225778.tif 000011
【図１０】
2007225778.tif 000012